(57)【要約】【目的】水平転送路４の分岐部９における転送残しの信号電荷を補正する。【構成】水平転送路４の左端部の分岐部９によって信号電荷が第１の出力回路７または第２の出力回路８の２方向のいずれかに分岐される。分岐動作により分岐部９に信号電荷の転送残しが生じ，次の画素の信号電荷に加算される。転送残しを補正するための補正量を表わすデータが算出され，この補正量を表わすデータを用いて分岐部９における転送残しの補正が行われる。【選択図】図１
2008228118.tif 000002
【特許請求の範囲】
【請求項１】
水平方向および垂直方向に設けられている多数の光電変換素子，２方向に信号電荷を分岐する分岐部が設けられ，かつ上記多数の光電変換素子に蓄積された信号電荷を，一行分ずつ転送する水平転送路，上記分岐部において２方向に分岐される信号電荷のうちの一方から出力される信号電荷を第１の映像信号に変換して出力する第１の増幅回路，および上記分岐部において２方向に分岐される信号電荷のうちの他方から出力される信号電荷を第２の映像信号に変換して出力する第２の増幅回路を備えた固体電子撮像素子の補正装置であって，
分岐動作指令に応じて，上記水平転送路を転送する信号電荷を上記第１の増幅回路または上記第２の増幅回路に交互に与えるように上記分岐部を駆動し，単線動作指令に応じて，上記水平転送路を転送する信号電荷を上記第1の増幅回路または上記第２の増幅回路のいずれかにのみ入力するように上記分岐部を駆動する駆動手段，ならびに
分岐動作指令に応じて，上記第1の増幅回路から出力される第1の映像信号および上記第２の増幅回路から出力される第２の映像信号に対して，上記分岐部における信号電荷の転送残しにもとづく補正を行い，単線動作指令に応じて上記第１の増幅回路または上記第２の増幅回路のいずれか一方からのみ出力される映像信号に対する上記分岐部における信号電荷の転送残しにもとづく補正を停止する第１の補正手段，
を備えた固体電子撮像素子の補正装置。
【請求項２】
分岐動作指令に応じて，上記第1の増幅回路から出力される第1の映像信号に対して上記第１の増幅回路における信号電荷の転送残しにもとづく補正を行い，かつ上記第２の増幅回路から出力される第２の映像信号に対して上記第２の増幅回路における信号電荷の転送残しにもとづく補正を行い，単線動作指令に応じて上記第１の増幅回路または上記第２の増幅回路のいずれか一方からのみ出力される映像信号に対して上記分岐部における信号電荷の転送残しにもとづく補正の停止を解除して上記分岐部における信号電荷の転送残しにもとづく補正を行い，かつ上記第１の増幅回路または上記第２の増幅回路のうち映像信号を出力した増幅回路における信号電荷の転送残しにもとづく補正を行う第２の補正手段，
をさらに備えた請求項１に記載の固体電子撮像素子の補正装置。
【請求項３】
上記第１の補正手段は，上記水平転送路における信号電荷の転送駆動周波数が所定のしきい値以下のときには，分岐動作指令に応じて行われるべき上記分岐部における信号電荷の転送残しにもとづく補正を停止するものである，
請求項１に記載の固体電子撮像素子の補正装置。
【請求項４】
分岐動作指令に応じて上記第１の増幅回路から出力される第１の映像信号および上記第２の増幅回路から出力される第２の映像信号ならびに上記分岐部における信号電荷の転送残しにもとづく補正を行うための補正パラメータを出力する出力手段，
をさらに備えた請求項１に記載の固体電子撮像素子の補正装置。
【請求項５】
上記出力手段は，上記水平転送路における信号電荷の転送駆動周波数が所定のしきい値以下のときには，上記補正パラメータの出力を停止するものである，
請求項４に記載の固体電子撮像素子の補正装置。
【請求項６】
水平方向および垂直方向に設けられている多数の光電変換素子，２方向に信号電荷を分岐する分岐部が設けられ，かつ上記多数の光電変換素子に蓄積された信号電荷を，一行分ずつ転送する水平転送路，上記分岐部において２方向に分岐される信号電荷のうちの一方から出力される信号電荷を第１の映像信号に変換して出力する第１の増幅回路，および上記分岐部において２方向に分岐される信号電荷のうちの他方から出力される信号電荷を第２の映像信号に変換して出力する第２の増幅回路を備えた固体電子撮像素子の補正方法であって，
駆動手段が，分岐動作指令に応じて，上記水平転送路を転送する信号電荷を上記第１の増幅回路または上記第２の増幅回路に交互に与えるように上記分岐部を駆動し，単線動作指令に応じて，上記水平転送路を転送する信号電荷を上記第1の増幅回路または上記第２の増幅回路のいずれかにのみ入力するように上記分岐部を駆動し，
補正手段が，分岐動作指令に応じて，上記第1の増幅回路から出力される第1の映像信号および上記第２の増幅回路から出力される第２の映像信号に対して，上記分岐部における信号電荷の転送残しにもとづく補正を行い，単線動作指令に応じて上記第１の増幅回路または上記第２の増幅回路のいずれか一方からのみ出力される映像信号に対する上記分岐部における信号電荷の転送残しにもとづく補正を停止する，
固体電子撮像素子の補正方法。
【発明の詳細な説明】
【技術分野】
【０００１】
この発明は，固体電子撮像素子の補正装置およびその補正方法に関する。
【背景技術】
【０００２】
ＣＣＤのような固体電子撮像素子においては，固体電子撮像素子の受光領域を２つにわけ，２つに分けられた受光領域に対応して，２つの出力増幅回路が設けられているものがある。出力増幅回路において信号電荷が映像信号に変換されて固体電子撮像素子から出力される。出力増幅回路における変換効率が異なることがあるので，出力増幅回路に応じて補正するものがある（特許文献１，２）。
【特許文献１】特開２００５−６４７５８号公報
【特許文献２】特開２００５−６４７６０号公報
【発明の開示】
【０００３】
一つの水平転送路の出力端に２方向に信号電荷を分岐する分岐部が設けられているような固体電子撮像素子においては，分岐部における信号電荷の転送残しが起こることがある。このような固体電子撮像素子においては，転送残しの補正が必要となる。
【０００４】
この発明は，分岐部における信号電荷の転送残しを補正することを目的とする。
【０００５】
この発明は，水平方向および垂直方向に設けられている多数の光電変換素子，２方向に信号電荷を分岐する分岐部が設けられ，かつ上記多数の光電変換素子に蓄積された信号電荷を，一行分ずつ転送する水平転送路，上記分岐部において２方向に分岐される信号電荷のうちの一方から出力される信号電荷を第１の映像信号に変換して出力する第１の増幅回路，および上記分岐部において２方向に分岐される信号電荷のうちの他方から出力される信号電荷を第２の映像信号に変換して出力する第２の増幅回路を備えた固体電子撮像素子の補正装置であって，分岐動作指令に応じて，上記水平転送路を転送する信号電荷を上記第１の増幅回路または上記第２の増幅回路に交互に与えるように上記分岐部を駆動し，単線動作指令に応じて，上記水平転送路を転送する信号電荷を上記第1の増幅回路または上記第２の増幅回路のいずれかにのみ入力するように上記分岐部を駆動する駆動手段，ならびに分岐動作指令に応じて，上記第1の増幅回路から出力される第1の映像信号および上記第２の増幅回路から出力される第２の映像信号に対して，上記分岐部における信号電荷の転送残しにもとづく補正を行い，単線動作指令に応じて上記第１の増幅回路または上記第２の増幅回路のいずれか一方からのみ出力される映像信号に対する上記分岐部における信号電荷の転送残しにもとづく補正を停止する第１の補正手段を備えていることを特徴とする。
【０００６】
この発明は，上記固体電子撮像素子の補正装置に適した補正方法も提供している。すなわち，この方法は，水平方向および垂直方向に設けられている多数の光電変換素子，２方向に信号電荷を分岐する分岐部が設けられ，かつ上記多数の光電変換素子に蓄積された信号電荷を，一行分ずつ転送する水平転送路，上記分岐部において２方向に分岐される信号電荷のうちの一方から出力される信号電荷を第１の映像信号に変換して出力する第１の増幅回路，および上記分岐部において２方向に分岐される信号電荷のうちの他方から出力される信号電荷を第２の映像信号に変換して与える第２の増幅回路を備えた固体電子撮像素子の補正方法であって，駆動手段が，分岐動作指令に応じて，上記水平転送路を転送する信号電荷を上記第１の増幅回路または上記第２の増幅回路に交互に出力するように上記分岐部を駆動し，単線動作指令に応じて，上記水平転送路を転送する信号電荷を上記第1の増幅回路または上記第２の増幅回路のいずれかにのみ入力するように上記分岐部を駆動し，補正手段が，分岐動作指令に応じて，上記第1の増幅回路から出力される第1の映像信号および上記第２の増幅回路から出力される第２の映像信号に対して，上記分岐部における信号電荷の転送残しにもとづく補正を行い，単線動作指令に応じて上記第１の増幅回路または上記第２の増幅回路のいずれか一方からのみ出力される映像信号に対する上記分岐部における信号電荷の転送残しにもとづく補正を停止するものである。
【０００７】
この発明によると，分岐動作指令が与えられると，水平転送路を転送した信号電荷は第１の増幅回路または第２の増幅回路のいずれかの増幅回路に交互に入力するように分岐部が駆動させられる。分岐動作指令に応じて，第１の増幅回路から出力される第１の映像信号および第２の増幅回路から出力される第２の映像信号に対して，分岐部における分岐動作にもとづく信号電荷の転送残しの補正が行われる。分岐部における信号電荷の転送残しが生じても，転送残しが補正された映像信号が得られる。単線動作指令が与えられると，水平転送路を転送した信号電荷は第１の増幅回路または第２の増幅回路のいずれかのみに入力するように分岐部か駆動させられる。単線動作指令が与えられた場合には，分岐部における信号電荷の転送残しの量は少ないと考えられるので，第１の増幅回路または第２の増幅回路のいずれかの増幅回路から出力された映像信号に対して分岐部における信号電荷の転送残しにもとづく補正は停止させられる。
【０００８】
分岐動作指令に応じて，上記第1の増幅回路から出力される第1の映像信号に対して上記第１の増幅回路における信号電荷の転送残しにもとづく補正を行ない，かつ上記第２の増幅回路から出力される第２の映像信号に対して上記第２の増幅回路における信号電荷の転送残しにもとづく補正を行い，単線動作指令に応じて上記第１の増幅回路または上記第２の増幅回路のいずれか一方からのみ出力される映像信号に対して上記分岐部における信号電荷の転送残しにもとづく補正の停止を解除して上記分岐部における信号電荷の転送残しにもとづく補正を行い，かつ上記第１の増幅回路または上記第２の増幅回路のうち映像信号を出力した増幅回路における信号電荷の転送残しにもとづく補正を行う第２の補正手段をさらに備えてもよい。
【０００９】
上記第１の補正手段は，たとえば，上記水平転送路における信号電荷の転送駆動周波数が所定のしきい値以下のときには，分岐動作指令に応じて行われるべき上記分岐部における信号電荷の転送残しにもとづく補正を停止するものである。
【００１０】
分岐動作指令に応じて上記第１の増幅回路から出力される第１の映像信号および上記第２の増幅回路から出力される第２の映像信号ならびに上記分岐部における信号電荷の転送残しにもとづく補正を行うための補正パラメータを出力する出力手段をさらに備えてもよい。
【００１１】
上記出力手段は，たとえば，上記水平転送路における信号電荷の転送駆動周波数が所定のしきい値以下のときには，上記補正パラメータの出力を停止する。
【実施例】
【００１２】
図１は，この発明の実施例を示すもので，ＣＣＤ１の模式図である。
【００１３】
ＣＣＤ１には，水平方向および垂直方向に多数のフォトダイオード（光電変換素子）２が設けられている。フォトダイオード２の受光面上には，緑色の光成分を透過するフィルタ（Ｇで示す），青色の光成分を透過するフィルタ（Ｂで示す）または赤色の光成分を透過するフィルタ（Ｒで示す）が形成されている。フォトダイオード２の各列の右側には，フォトダイオード２に蓄積された緑色の光成分を表わす信号電荷，青色の光成分を表わす信号電荷および赤色の光成分を表わす信号電荷を垂直方向に転送するための垂直転送路３が設けられている。垂直転送路３の出力端（下側）には，垂直転送路３から転送されてきた信号電荷を水平方向に転送するための水平転送路４が設けられている。
【００１４】
この実施例におけるＣＣＤ１は，水平転送路４内を転送されてきた信号電荷を２方向に分岐して出力できるものである。このために，水平転送路４の左側の出力端には信号電荷を２方向に分岐させるための分岐部９が設けられている。分岐部９には，２方向に分岐された信号電荷のうち一方の信号電荷を第１の出力回路（第１の増幅回路）７に転送する第１の接続部５および他方の信号電荷を第２の出力回路（第２の増幅回路）８に転送する第２の接続部６が設けられている。第１の出力回路７に与えられた信号電荷は，第１の出力回路７において第１の映像信号に変換されて出力される。第２の出力回路８に与えられた信号電荷は，第２の出力回路８において第２の映像信号に変換されて出力される。
【００１５】
図２（Ａ）〜（Ｅ）および図３（Ａ）〜（Ｅ）は，水平転送路４において信号電荷が水平方向に転送される様子を示すもので，分岐転送のものである。これらの図において，緑色の光成分を表わす信号電荷がＧで，青色の光成分を表わす信号電荷がＢで，赤色の光成分を表わす信号電荷がＲで図示されている。
【００１６】
フォトダイオード２に蓄積された信号電荷が垂直転送路３にシフトされ，垂直転送路３に垂直転送パルスが与えられると，図２（Ａ）に示すように，ＣＣＤ１の最下行のフォトダイオード２に蓄積されていた信号電荷が水平転送路４に与えられる。水平転送路４の各水平転送電極下に形成される電位井戸に信号電荷が蓄積されることとなる。
【００１７】
水平転送路４に水平転送パルスが与えられると，水平転送路４の各水平転送電極下に形成されている電位井戸に蓄積されている信号電荷は，図２（Ｂ）に示すように，一つ左側の水平転送電極下の電位井戸にシフトされる（水平転送電極下に形成される電位井戸は隣接する信号電荷が混合されないように電位障壁が形成されているのはいうまでもない）。すると，一番左側の信号電荷Ｇは，分岐部９に入力する。
【００１８】
つづいて水平転送路４に水平転送パルスが与えられると，図２（Ｃ）に示すように，信号電荷はさらに一つ左側の水平転送電極下の電位井戸にシフトされる。これにより，一番左側の信号電荷Ｇは，第１の接続部５に与えられる。分岐部９には，信号電荷Ｒが入力する。分岐部９において分岐動作が行われる場合，分岐部９に与えられた信号電荷のすべてが第１の接続部５または第２の接続部６に転送されずに，分岐部９に信号電荷ｇ１が残る（分岐部９の転送残し）。このために，分岐部９に入力した信号電荷Ｒに転送残しによる信号電荷ｇ１が分岐部９において加算される。
【００１９】
さらに水平転送路４に水平転送パルスが与えられると，図２（Ｄ）に示すように，信号電荷は，さらに一つ左側の水平転送電極下の電位井戸にシフトされる。一番左側の信号電荷Ｇは，第１の接続部５から第１の出力回路７に入力し，分岐部９において加算された信号電荷Ｒ＋ｇ１は，分岐部９の分岐動作により第２の接続部６に入力する。また，分岐部９には，信号電荷Ｒの転送残しの信号電荷ｒ１が残り，次の信号電荷Ｇと加算される。
【００２０】
さらに水平転送路４に水平転送路パルスが与えられると，図２（Ｅ）に示すように，第１の出力回路７からは信号電荷Ｇを表わす第１の映像信号が出力される。第１の出力回路７にも信号電荷Ｇの転送残しの信号電荷ｇ２が残る。上述したように，分岐部９には，転送残しの信号電荷ｒ１があり，信号電荷Ｇに加算されるから，第１の接続部５には信号電荷Ｇと転送残しの信号電荷ｒ１とが加算された信号電荷が入力することとなる。分岐部９には，第１の接続部５に転送された信号電荷Ｇの転送残しの信号電荷ｇ１が残る。分岐部には，信号電荷Ｇの次の信号電荷Ｂが入力し，転送残しの信号電荷ｇ１と信号電荷Ｂとが加算される。第２の出力回路８には，信号電荷Ｒと分岐部９の転送残しの信号電荷ｇ１とが入力する。
【００２１】
さらに水平転送路４に水平転送パルスが与えられると，図３（Ａ）に示すように，第１の出力回路７において，与えられた信号電荷Ｇと分岐部９の転送残しの信号電荷ｒ１のほかに第１の出力回路７における転送電荷の転送残しの信号電荷ｇ２が加算される。第２の出力回路８からは，信号電荷Ｒに分岐部９の転送残しｇ１が加算された信号電荷Ｒ＋ｇ１を表わす第２の映像信号が出力される。第２の出力回路８には，第２の出力回路８における信号電荷Ｒの転送残しの信号電荷ｒ２が残る。また，第２の接続部６には，信号電荷Ｂと分岐部９の転送残しの信号電荷ｇ１が入力する。分岐部９には，信号電荷Ｂの転送残しの信号電荷ｂ１が残り，次の信号電荷Ｇと加算される。
【００２２】
さらに水平転送路４に水平転送パルスが与えられると，図３（Ｂ）に示すように，第１の出力回路７からは信号電荷Ｇに，分岐部の転送残しの信号電荷ｇ１および第１の出力回路７における転送残しの信号電荷ｇ２が加算された信号電荷Ｇ＋ｇ１＋ｇ２を表わす第１の映像信号が出力される。第１の出力回路７には，第１の出力回路７から出力された信号電荷Ｇの転送残しの信号電荷ｇ２が残る。第１の接続部５には，分岐部９から与えられた信号電荷Ｇと分岐部９の転送残しの信号電荷ｂ１とが入力する。第２の出力回路８には，第２の接続部６から与えられる信号電荷Ｂと分岐部９の転送残しの信号電荷ｇ１とが入力し，第２の出力回路６に残っている第２の出力回路６の転送残しの信号電荷ｒ２と加算される。分岐部９には，信号電荷Ｇの転送残しの信号電荷ｇ１が残り，次の信号電荷Ｒと加算される。
【００２３】
さらに水平転送路４に水平転送パルスが与えられると，図３（Ｃ）に示すように，第１の出力回路７には第１の接続部５から入力した信号電荷Ｇと分岐部９の転送残しの信号電荷ｇ１とに第１の出力回路７の転送残しの信号電荷ｇ２が加算される。第２の出力回路８からは，信号電荷Ｂに分岐部９の転送残しの信号電荷ｇ１と第２の出力回路８における転送残しの信号電荷ｒ２とが加算された信号電荷Ｂ＋ｇ１＋ｒ２を表わす第２の映像信号が出力される。第２の出力回路８には第２の出力回路８の転送残しの信号電荷ｂ２が残り，第２の接続部５には信号電荷Ｒに分岐部９の転送残しの信号電荷ｇ１が与えられる。分岐部９には，分岐部９の転送残しの信号電荷ｒ１が残り，次の信号電荷Ｒと加算される。
【００２４】
さらに水平転送路４に水平転送パルスが与えられると，図３（Ｄ）に示すように，第１の出力回路７からは，信号電荷Ｇに第２の出力回路７の転送残しの信号電荷ｇ２と分岐部９の転送残しの信号電荷ｂ１とが加算された信号電荷Ｇ＋ｂ１＋ｇ２を表わす第２の映像信号が出力される。第２の出力回路７には転送残しの信号電荷ｇ２が残る。第１の接続部５には，分岐部９から与えられる信号電荷Ｇに分岐部９の転送残しの信号電荷ｒ１が入力する。第２の出力回路８において，第２の接続部６から与えられた信号電荷Ｒと分岐部９の転送残しの信号電荷ｇ１と，第２の出力回路８の転送残しの信号電荷ｇ２とが加算される。分岐部９には，信号電荷Ｇの転送残しの信号電荷ｇ１が残り，次の信号電荷Ｂと加算される。
【００２５】
さらに水平転送路４に水平転送パルスが与えられると，図３（Ｅ）に示すように，第１の出力回路７においては，信号電荷Ｇに分岐部９の転送残しの信号電荷ｇ２と第１の出力回路７の転送残しの信号電荷ｇ２とが加算される。第２の出力回路８からは信号電荷Ｒに分岐部９の転送残しの信号電荷ｇ１と第２の出力回路８の転送残しの信号電荷ｂ２とが加算された信号電荷を表わす第２の映像信号Ｒ＋ｇ１＋ｂ２が出力される。第２の接続部６には，分岐部９から与えられた信号電荷Ｂに分岐部９の転送残しの信号電荷ｇ１が入力する。分岐部９には，転送残しの信号電荷ｂ１が残り，次の信号電荷Ｇと加算される。
【００２６】
このように，分岐部９における信号電荷の転送残しと第１の出力回路７および第２の出力回路８における信号電荷の転送残しが発生する。
【００２７】
この実施例においては，このようにして発生する分岐部９における信号電荷の転送残しにより発生する映像信号成分と第１の出力回路７および第２の出力回路８における信号電荷の転送残しにより発生する映像信号成分とを補正するものである。
【００２８】
図４（Ａ）〜（Ｅ）および図５（Ａ）〜（Ｅ）は，水平転送路４において信号電荷が水平方向に転送される様子を示すもので，上述した補正を行うための補正量を算出するための分岐転送の様子である。
【００２９】
図２（Ａ）〜（Ｅ）および図３（Ａ）〜（Ｅ）においては，ＣＣＤ１のすべてのフォトダイオード２に蓄積された信号電荷を分岐転送により出力するものであるが，補正量を算出する場合には，３列に１列の割合で信号電荷が出力される。３列のうち残りの２列に蓄積された信号電荷はＣＣＤ１から出力されないようにＣＣＤ１が駆動される。３列のうち残りの２列に蓄積された信号電荷がＣＣＤ１から出力されないようにＣＣＤ１を駆動するには，フォトダイオード２に蓄積された信号電荷を３列に２列の割合でフォトダイオード２から垂直転送路３にシフトするのを停止してもよいし，３列から２列の割合で垂直転送路３から水平転送路４にシフトするのを停止してもよい。
【００３０】
図４（Ａ）を参照して，水平転送路４には，３画素置きに信号電荷が入力する。水平転送路４に入力した信号電荷が蓄積されている電位井戸の間の電位井戸には信号電荷が与えられないから空となっている。上述したのと同様に，水平転送路４に水平転送パルスが与えられると，図４（Ｂ）に示すように，水平転送路４に蓄積された信号電荷は一つ左側の水平電極下の電位井戸に転送させられる。さらに水平転送パルスが与えられると，図４（Ｃ）に示すように，一番左側の信号電荷Ｇは，第１の接続部５に入力する。分岐部９には，信号電荷Ｇの転送残しの信号電荷ｇ１が残る。信号電荷は３画素置きに水平転送路４に与えられているから，一番左側の信号電荷Ｇの次には信号電荷は無い。このために，分岐部９には，次の信号電荷は入力することなく，分岐部９の転送残しの信号電荷ｇ１のみが残る。
【００３１】
さらに水平転送路４に水平転送パルスが与えられると，図４（Ｄ）に示すように，第１の出力回路７に一番左の信号電荷Ｇが入力する。第２の接続部６には，分岐部９の転送残しの信号電荷ｇ１のみが入力する。さらに水平転送路４に水平転送パルスが与えられると，図４（Ｅ）に示すように，第１の出力回路７からは信号電荷Ｇを表す第１の映像信号が出力する。第１の出力回路７には，第１の出力回路７における信号電荷Ｇの転送残しの信号電荷ｇ２が残る。第２の出力回路８には，第２の接続部６から与えられた分岐部９の転送残しの信号電荷ｇ１が入力する。分岐部９には，次の信号電荷Ｂが入力する。
【００３２】
さらに水平転送路４に水平転送パルスが与えられると，図５（Ａ）に示すように，第２の出力回路８から分岐部９の転送残しの信号電荷ｇ１を表す第２の映像信号が出力される。分岐部９に入力した信号電荷Ｂは，第２の接続部６に入力し，分岐部９には信号電荷Ｂの転送残しの信号電荷ｂ１が残る。さらに水平転送路４に水平転送パルスが与えられると，図５（Ｂ）に示すように，第１の出力回路７からは，第１の出力回路７の転送残しの信号電荷ｇ２が出力される。第１の接続部５には，分岐部９から分岐部９の転送残しの信号電荷１が入力する。また，第２の出力回路８には，信号電荷Ｂが入力する。
【００３３】
さらに水平転送路４に水平転送パルスが与えられると，図５（Ｃ）に示すように，第１の出力回路７には，分岐部９の転送残しの信号電荷ｂ１が入力する。第２の出力回路８からは信号電荷Ｂを表す第２の映像信号が出力される。第２の出力回路８には，第２の出力回路８の転送残しの信号電荷ｂ２が残る。分岐部９には，さらに次の信号電荷Ｇが入力する。さらに水平転送路４に水平転送パルスが与えられると，図５（Ｄ）に示すように，第１の出力回路７からは分岐部９の転送残しの信号電荷ｂ１を表す第１の映像信号が出力される。第１の接続部５には分岐部９から出力された信号電荷Ｇが入力し，分岐部９には信号電荷Ｇの転送残しｇ１が残る。第２の出力回路８には第１の出力回路８の転送残しの信号電荷ｂ２が残っている。
【００３４】
さらに，水平転送路４に水平転送パルスが与えられると，図５（Ｅ）に示すように，第１の出力回路７には信号電荷Ｇが入力する。第２の出力回路８からは第２の出力回路８の転送残しの信号電荷ｂ２を表す第２の映像信号が出力される。第２の接続部６には，分岐部９の転送残しの信号電荷ｇ１が入力する。
【００３５】
図５（Ａ）に示すように，第２の出力回路８から分岐部９の転送残しの信号電荷ｇ１に対応する映像信号が出力されるので，分岐部９の転送残しの補正量が分かる。また，図５（Ｂ）に示すように，第１の出力回路７から第１の出力回路７の転送残しの信号電荷ｇ２に対応する映像信号が出力されるので，第１の出力回路７の転送残しの補正量が分かる。さらに，図５（Ｅ）に示すように，第２の出力回路８から第２の出力回路８の転送残しの信号電荷ｂ２に対応する映像信号が出力されるので，第２の出力回路８の転送残しの補正量が分かる。これらの補正量を用いて分岐部９の転送残しに対する補正ならびに第１の出力回路７の転送残しに対する補正および第２の出力回路８の転送残しに対する補正を行うことができる。
【００３６】
図６（Ａ）〜（Ｆ）は，水平転送路４において信号電荷が水平方向に転送される様子を示すもので，分岐処理を行わない単線転送のものである。
【００３７】
この実施例における単線転送では，第２の接続部６および第２の出力回路８は使用されずに，第１の接続部５および第１の出力回路７が使用されるが，第１の接続部５および第１の出力回路７は使用されずに，第２の接続部６および第２の出力回路８を使用するようにしてもよい。
【００３８】
第６図（Ａ）に示すように，最下行のフォトダイオード２に蓄積された信号電荷が水平転送路４に入力し，蓄積される。水平転送路４に水平転送パルスが与えられると，図６（Ｂ）に示すように，水平転送路４に蓄積された信号電荷が一画素分左側にシフトされる。一番左側の信号電荷Ｇは，分岐部９に入力する。
【００３９】
さらに水平転送路４に水平転送パルスが与えられると，図６（Ｃ）に示すように，一番左側の信号電荷Ｇは，第１の接続部５に入力する。すると，分岐部９には，信号電荷Ｇの転送残しの信号電荷ｇ３が発生し，次の信号電荷Ｒと加算される。さらに水平転送路４に水平転送パルスが与えられると，図６（Ｄ）に示すように，一番左側の信号電荷Ｇは，第１の出力回路７に入力する。第１の接続部５には，次の信号電荷Ｒと分岐部９での転送残しの信号電荷ｇ３とが加算された信号電荷Ｒ＋ｇ３が入力する。
【００４０】
さらに水平転送路４に水平転送パルスが与えられると，図６（Ｅ）に示すように，第１の出力回路５からは，信号電荷Ｇを表す映像信号が出力される。第１の出力回路５における転送残しの信号電荷ｇ４が第１の出力回路５に残り，第１の接続部５から入力した信号電荷Ｒと分岐部９の転送残しの信号電荷ｇ３とに加算される。さらに水平転送路４に水平転送パルスが与えられると，図６（Ｆ）に示すように，第１の出力回路７からは信号電荷Ｒに，分岐部９の転送残しの信号電荷ｇ３と第１の出力回路７の転送残しの信号電荷ｇ４とを加算した信号電荷Ｒ＋ｇ３＋ｇ４に対応する映像信号が出力される。
【００４１】
このように，単線転送においても分岐部９の転送残しの信号電荷および第１の出力回路７の転送残しの信号電荷が加算された信号電荷を表す映像信号が出力される。
【００４２】
図７（Ａ）〜（Ｆ）は，単線転送で信号電荷が水平方向に転送される様子を示すもので，上述した補正を行うための補正量を算出するための単線転送である。
【００４３】
単線転送での補正量を算出する場合も，図７（Ａ）に示すように，３列に１列の割合でフォトダイオード２に蓄積された信号電荷が水平転送路４に与えられる。水平転送路４に水平転送パルスが与えられると，図７（Ｂ）に示すように，信号電荷は，一画素分左側にシフトされる。一番左側の信号電荷Ｇは，分岐部９に入力する。
【００４４】
さらに，水平転送路４に水平転送パルスが与えられると，図７（Ｃ）に示すように，一番左側の信号電荷Ｇは，第１の接続部５に入力し，分岐部９には転送残しの信号電荷ｇ３が残る。信号電荷Ｇの次の信号電荷は水平転送路４にシフトされていないから，分岐部９には，分岐部９の転送残しの信号電荷ｇ３のみが残ることとなる。さらに水平転送路４に水平転送パルスが与えられると，図７（Ｄ）に示すように，第１の出力回路７には信号電荷Ｇが入力し，第１の接続部５には分岐部９の転送残しの信号電荷ｇ３が入力する。
【００４５】
さらに水平転送路４に水平転送パルスが与えられると，図７（Ｅ）に示すように，第１の出力回路７からは信号電荷Ｇを表す映像信号が出力される。第１の出力回路７には，第１の出力回路７の転送残しの信号電荷ｇ４が残り，かつ第１の接続部５から出力される分岐部９の転送残しの信号電荷ｇ３が入力する。さらに水平転送路４に水平転送パルスが与えられると，図７（Ｆ）に示すように，第１の出力回路７から分岐部９の転送残しの信号電荷ｇ３および第１の出力回路７の転送残しの信号電荷ｇ４を表す映像信号が出力される。このようにして，分岐部９の転送残しの信号電荷ｇ３および第１の出力回路７の転送残しの信号電荷ｇ４が分かるので，単線転送における分岐部９の転送残しおよび第１の出力回路７における転送残し（第２の出力回路８における転送残しも同様に分かる）にもとづく補正量が分かる。単線転送における分岐部９の転送残しを除いた第１の出力回路７における転送残しの信号電荷ｇ４は，上述した分岐転送における第１の出力回路７における転送残しの信号電荷ｇ２と同じである。単線転送における分岐部９における転送残しを除いた第１の出力回路７における転送残しの信号電荷ｇ４も検出できることとなる。
【００４６】
図８は，補正処理を行う場合の処理手順を示すフローチャートである。この補正処理は，ＣＣＤ１において上述した分岐転送を行わせるかどうかに応じて補正内容を変えるものである。
【００４７】
ＣＣＤ１において上述した分岐転送が行われる場合には（ステップ11でＹＥＳ），水平転送路４を転送した信号電荷は分岐部９において第１の出力回路７または第２の出力回路８に与えられるように分岐される。このために，上述した分岐部９における分岐動作による転送残しを是正するための分岐部補正，第１の出力回路７における転送残しを是正するための第１の出力部補正および第２の出力回路８における転送残しを是正するための第２の出力部補正のすべてが行われるように設定される（ステップ12）。
【００４８】
ＣＣＤ１において上述した分岐転送が行われない場合には（ステップ11でＮＯ，単線転送），分岐部９における分岐動作は行われずに信号電荷は第１の出力回路７に与えられる。単線転送時には分岐部９における転送残しは無視できる量であると考え，上述した分岐部９における転送残しを是正するための分岐部補正は行われずに第１の出力回路７における転送残しを是正するための補正が行われるように設定される。第１の出力回路７における転送残しの補正量は，図５（Ｂ）に示したように得られるのはいうまでもない。また，第２の出力回路８には信号電荷は与えられないので，第２の出力回路８における転送残しを是正するための補正は行われないように設定される（ステップ13）。
【００４９】
もっとも，単線転送において，第１の出力回路７に与えられずに第２の出力回路８に与えられる場合には，第１の出力回路７における転送残しを是正するための補正は行われずに，第２の出力回路８における転送残しを是正するための補正が行われるのはいうまでもない。
【００５０】
このような設定にもとづいて，ＣＣＤ１から出力された映像信号について信号電荷の転送残しの補正が行われる（ステップ14）。
【００５１】
図９は，ディジタル・スチル・カメラの電気的構成を示すブロック図である。このディジタル・スチル・カメラにおいて，上述した補正量の算出，補正等を行うことができる。
【００５２】
ディジタル・スチル・カメラの全体の動作は，ＣＰＵ20によって統括される。
【００５３】
ディジタル・スチル・カメラには，各種操作キー21が含まれており，これらの各種操作キー21から出力される操作信号は，ＣＰＵ20に入力する。各種操作キー21には，記録モードまたは再生モードを設定するモード設定スイッチ22，メニュー・スイッチ23，電源スイッチ24，ズーム・スイッチ25，記録開始／停止兼シャッタ・スイッチ26などがある。ディジタル・スチル・カメラには，さらに，ＣＣＤ１の素子駆動周波数を切り換える切換スイッチ27，上述した単線転送と分岐転送とを切り換える切換スイッチ28，転送残しの補正を行うかどうかを設定する転送残し補正スイッチ29およびRAWデータ出力を設定するスイッチ30が設けられている。これらのスイッチ27〜30から出力される信号も，ＣＰＵ30に入力する。
【００５４】
ディジタル・スチル・カメラにはバッテリィ62が含まれている。このバッテリィ62から出力される電源が電源回路63に含まれているＤＣ／ＤＣコンバータ64に与えられる。ＤＣ／ＤＣコンバータ64からディジタル・スチル・カメラを構成する各回路に電源が供給される。また，クロック・ジェネレータ131がＣＰＵ20によって制御され，クロック・ジェネレータ31からディジタル・スチル・カメラを構成する各回路にクロック信号が供給される。
【００５５】
ＣＣＤ１の前方にはモータ・ドライバ33によって位置決めされる撮像レンズ32が光軸方向に移動自在に設けられている。被写体を撮像すると撮像レンズ32によって被写体像がＣＣＤ１の受光面上に結像する。ＣＣＤ１は，タイミング・ジェネレータ34から出力される駆動パルス（フォトダイオードから垂直転送路に信号電荷をシフトするゲート・パルス，垂直転送パルス，水平転送パルス，分岐部９における分岐動作等の分岐パルスなど）によって駆動させられる。
【００５６】
ＣＣＤ１には，第１のＣＤＳ（相関二重サンプリング）回路35および第２のＣＤＳ回路36が接続されている。上述のように分岐転送が行われる場合には，ＣＣＤ１から出力された第１の映像信号が第１のＣＤＳ回路35に入力し，第１のアナログ／ディジタル変換回路37において第１のディジタル画像データに変換される。変換された第１のディジタル画像データは画像入力コントローラ44に入力する。ＣＣＤ１から出力された第２の映像信号は第２のＣＤＳ回路36に入力し，第２のアナログ／ディジタル変換回路38において第２のディジタル画像データに変換される。変換された第２のディジタル画像データも画像入力コントローラ44に入力する。単線転送が行われる場合には，第２のＣＤＳ回路36からは映像信号が出力されずに第１のＣＤＳ回路35から映像信号が出力される。第１のＣＤＳ回路35から出力された映像信号がアナログ／ディジタル変換回路37においてディジタル画像データに変換されて画像入力コントローラ44に入力する。
【００５７】
補正量を算出するためには，図４（Ａ）〜（Ｅ）および図５（Ａ）〜（Ｅ）ならびに図７（Ａ）〜（Ｆ）に示したように３列に１列の割合で信号電荷が存在するようにＣＣＤ１が駆動される。そのような駆動により得られた画像データのうち，分岐転送により得られる第１の出力回路７の転送残しを表わす画像データおよび第２の出力回路７の転送残しを表わす画像データは第１の出力部転送残し算出回路45に入力し，第１の出力回路７の転送残しの補正量および第２の出力回路８の転送残しの補正量が算出される。また，分岐転送により得られる分岐部９の転送残しを表わす画像データは分岐転送残し算出回路47に入力し，分岐転送における分岐部９の補正量が算出される。さらに，単線転送における第１の出力回路７の転送残しおよび単線転送における分岐部９の転送残しを合わせた信号電荷を表わす画像データは第２の出力部転送残し算出回路46に入力し，第１の出力回路７の転送残しおよび単線転送における分岐部９の転送残しを合わせたものの補正量が算出される。
【００５８】
信号電荷の転送残しの量は，信号電荷の量に依存するから，これらの回路45〜47において信号電荷の量に応じた（画像データレベルに応じた）補正量が算出される。算出された補正量を表わすデータは，メモリ65に記憶される。メモリ65には，分岐転送における第１の出力回路７の転送残しの補正量を表わすデータ（単線転送における第１の出力回路７の転送残しの補正量を表わすデータも同じである），分岐転送における第２の出力回路８の転送残しの補正量を表わすデータ，および分岐転送における分岐部９の転送残しの補正量を表わすデータならびに単線転送における第１の出力回路７の転送残しの補正量（単線転送における分岐部９の転送残しの補正量が含まれているもの）を表わすデータが記憶されることとなる。
【００５９】
被写体が撮像される場合には，ＣＣＤ１は転送残しの補正量を算出するための駆動とは異なる通常の駆動が行われる。この駆動は，迅速な読み出しが必要な場合には分岐転送となり，迅速な読み出しが不要な場合には単線転送となろう。通常の駆動により画像入力コントローラ44に入力した画像データは，画像入力コントローラ44によってＡＥ／ＡＦ／ＡＷＢ検出回路52に与えられる。ＡＥ／ＡＦ／ＡＷＢ検出回路52において，自動露光，自動合焦，自動白バランス調整に必要なデータが検出される。検出されたデータにもとづいて自動露光制御，自動合焦制御，自動白バランス調整が行われる。
【００６０】
画像データは，ビデオ・エンコーダ50に入力し，画像表示装置51に与えられることにより被写体像が画像表示装置51上に表示される。
【００６１】
記録開始／停止兼シャッタ・スイッチ26のシャッタ・スイッチが押されると，上述のようにして得られた画像データは画像入力コンピュータ44によってメモリ54に与えられ，一時的に記憶される。画像データはメモリ54から読み出されて転送残し補正回路48に入力する。また，メモリ65に記憶されている補正量を表すデータのうち，その画像データが得られたときの転送方法（分岐転送または単線転送）に対応した補正量を表わすデータが読み出され，転送残し補正回路48において補正される。補正された画像データが画像信号処理回路49に与えられ，所定の信号処理が行われる。画像信号処理回路49から出力された画像データは圧縮処理回路57において圧縮される。圧縮された画像データがメディア記録制御回路58によって記録メディア59に記録される。
【００６２】
さらに，ディジタル・スチル・カメラには，マイクロフォン56が設けられており，マイクロフォン56から出力される音声信号はマイクロフォン増幅回路55において増幅される。増幅された音声信号は音入力処理回路53においてディジタル音データに変換される。変換された音データを記録メディア59に記録することもできる。さらに，ディジタル・スチル・カメラには音出力処理回路60およびスピーカ61が設けられており，音声出力も可能である。
【００６３】
上述の実施例では，画像データを記録メディア59に記録するときに転送残しの補正が行われているが，被写体像を表示するときにもその補正が行われるようにしてもよい。
【００６４】
上述した実施例では，単線転送の場合には分岐部９の転送残しの補正は行われていないが，次に述べるように単線転送の場合においても第１の出力回路７（または第２の出力回路８）および分岐部９の転送残しの両方を補正することもできる。
【００６５】
図７（Ａ）〜（Ｆ）に示したように，単線転送時において第１の出力回路７の転送残しと分岐動作が行われない場合の分岐部９の転送残しとの両方の転送残しの補正量が算出され，メモリ65に記憶されている。また，図４（Ａ）〜（Ｅ）および図５（Ａ）〜（Ｆ）に示したように，分岐転送における第１の出力回路７の転送残しおよび第２の出力回路８の転送残しの補正量もメモリ65に記憶されている。単線転送の場合には，第１の出力回路７の転送残しと分岐動作が行われない場合の分岐部９の転送残しとの両方の転送残しの補正量を用いて補正することにより，第１の出力回路７の転送残しの補正だけでなく，単線転送における分岐部９の転送残しも補正できる。
【００６６】
図10は，単線転送の場合の補正量と分岐転送における第１の出力回路７または第２の出力回路８の補正量とを示すグラフである。
【００６７】
単線転送の場合には，上述したように，第１の出力回路７における転送残しの補正だけでなく，単線転送における分岐部９の転送残しの補正も同時に行われるために分岐転送における第１の出力回路７または第２の出力回路８の転送残しの補正量よりも大きい補正量となっている。分岐転送における第１の出力回路７および第２の出力回路８における転送残しの補正量は，分岐転送が行われる場合の分岐部９における転送残しの補正量は含まれていないので（分岐転送が行われる場合の分岐部９における転送残しの補正量は別途行われる。），単線転送の場合における補正量よりも小さくなっている。
【００６８】
このような補正量を用いて，単線転送における転送残しの補正および分岐転送における第１の出力回路７および第２の出力回路８における転送残しの補正が行われる。
【００６９】
図11は，単線転送において第１の出力回路７の転送残しの補正だけでなく，分岐部９の転送残しの補正も行われる処理手順を示すフローチャートである。
【００７０】
まず，分岐転送か単線転送かが確認される（ステップ71）。分岐転送の場合には，分岐転送における分岐部９の転送残しの補正量，第１の出力回路７における転送残しの補正量および第２の出力回路８における転送残しの補正量をそれぞれ表すデータがメモリ65から読み取られ，それぞれの補正量を表すデータが転送残し補正回路48に設定される（ステップ73）。分岐転送における第１の出力回路７の転送残しの補正量および第２の出力回路の転送残しの補正量は，分岐部９における分岐転送の補正量は含まれていない。分岐部９における分岐転送の場合の転送残し補正，第１の出力回路７における転送残し補正および第２の出力回路８における転送残し補正が行われるように設定される（ステップ73）。設定された補正が転送残し補正回路48において行われる（ステップ76）。
【００７１】
単線転送の場合には（ステップ71でＮＯ），第１の出力回路７における転送残しの補正を行うための補正量を表すデータがメモリ65から読み取られ，転送残し補正回路48に設定される（ステップ74）。分岐部９の転送残しの補正および第２の出力回路８の転送残しの補正は行われないように，かつ第１の出力回路７における転送残しの補正が行われるように設定される（ステップ75）。設定された第１の出力回路７における転送残しの補正が行われる（ステップ76）。単線転送における第１の出力回路７の転送残しの補正量については上述したように，単線転送での分岐部９の転送残しの補正量が含まれている。したがって，単線転送における第１の出力回路７の転送残しの補正が行われることにより，単線転送での分岐部９の転送残しの補正も同時に行われることとなる。
【００７２】
図12は，他の実施例を示すもので，ディジタル・スチル・カメラによる撮像動作時の処理手順を示すフローチャートである。補正量を表わすデータは，すでにメモリ65に記憶されているものとする。
【００７３】
被写体が撮像され（ステップ81），単線／分岐出力切換スイッチ28および素子駆動周波数切換スイッチ27によって駆動モードが選択される（ステップ82）。
【００７４】
単線／分岐出力切換スイッチ28により単線転送が設定された場合（ステップ83でＹＥＳ）には，分岐部９での転送残しの信号電荷量は少なく，かつ第１の出力回路７での転送残しの信号電荷量も画質に影響を与えるほどは多くないと考え，上述した補正は行われない。分岐転送が設定された場合であっても（ステップ83でＮＯ），素子駆動周波数切換スイッチ27により低周波数駆動が設定された場合（ステップ84でＹＥＳ）には，高周波駆動の場合よりも転送残しの信号電荷量が少ないので上述した転送残しの補正は行われない（ステップ86）。省電力を達成できる。
【００７５】
分岐転送が設定され（ステップ83でＮＯ），かつ低周波数駆動が設定されなければ（ステップ84でＮＯ），上述した分岐転送での転送残しの補正が行われる（ステップ87）。
【００７６】
補正された画像データまたは補正されない画像データについて所定の信号処理が行われる（ステップ87）。
【００７７】
図13は，他の実施例を示すもので，ディジタル・スチル・カメラにおける撮像動作の処理手順を示すフローチャートである。この処理は，圧縮処理（例えば，JPEG:Joint Photographic Experts Groupにもとづく圧縮であるがJPEG圧縮に限らない）が行われる場合にはカメラ内で補正を行い，RAWデータを出力する場合にはカメラ内で補正をせずに補正量を表わすデータとともに記録メディアに記録するものである。
【００７８】
被写体が撮像され（ステップ91）, JPEG圧縮が行われるかRAWデータ出力が行われるかが判定される（ステップ92）。
【００７９】
RAWデータ出力スイッチ30によってRAWデータ出力が選択されていない場合には，JPEG圧縮が行われ（ステップ92）, カメラ内で上述した補正が行われる（ステップ93）。補正された画像データが記録メディア59に記録されることとなる（ステップ94）。
【００８０】
RAWデータ出力スイッチ30によってRAWデータ出力が選択されている場合には，上述した補正はカメラ内では行われない（ステップ95）。カメラでの処理を減らすことができる。分岐転送または単線転送に応じた補正量を表わすデータがメモリ65から読み出されて，補正されていないRAWデータとともに記録メディア59に記録される（ステップ96）。記録メディア59がパーソナル・コンピュータなどに装填されることにより，記録メディア59に記録されている補正量を表わすデータを利用してRAWデータを補正できる。補正をパーソナル・コンピュータなどの外部装置で行うことができるので，外部装置で行う補正処理プログラムをバージョンアップすることが比較的簡単にでき，補正精度が向上した補正を実施できる。
【００８１】
図14は，さらに他の実施例を示すもので，ディジタル・スチル・カメラの処理手順を示すフローチャートである。補正のオン／オフの設定に応じて補正を行うものである。
【００８２】
被写体が撮像されて画像データが得られる（ステップ101）。JPEG圧縮が行われるかRAWデータ出力が行われるかが確認される（ステップ102）。JPEG圧縮が行われる場合にはカメラ内で補正が行われる（ステップ103）。記録メディアには補正された画像データが記録される（ステップ104）。RAWデータ出力が行われる場合には，さらに転送残しスイッチ29により補正を行うように設定されているかどうか（補正オン／オフ）が確認される（ステップ105）。補正オンであれば，RAWデータが記録メディア59に記録されるとともに，分岐転送または単線転送に対応して補正量を表わすデータが記録メディア59に記録される（ステップ106）。補正オフであれば，補正量を表わすデータは記録メディア59に記録されずに画像データが記録メディア59に記録される（ステップ107）。
【図面の簡単な説明】
【００８３】
【図１】ＣＣＤ１の模式図である。
【図２】（Ａ）〜（Ｅ）は信号電荷が転送される様子を示している。
【図３】（Ａ）〜（Ｅ）は信号電荷が転送される様子を示している。
【図４】（Ａ）〜（Ｅ）は信号電荷が転送される様子を示している。
【図５】（Ａ）〜（Ｅ）は信号電荷が転送される様子を示している。
【図６】（Ａ）〜（Ｆ）は信号電荷が転送される様子を示している。
【図７】（Ａ）〜（Ｆ）は信号電荷が転送される様子を示している。
【図８】補正処理手順を示すフローチャートである。
【図９】ディジタル・スチル・カメラのブロック図である。
【図１０】補正量を示すグラフである。
【図１１】補正処理手順を示すフローチャートである。
【図１２】ディジタル・スチル・カメラの処理手順を示すフローチャートである。
【図１３】ディジタル・スチル・カメラの処理手順を示すフローチャートである。
【図１４】ディジタル・スチル・カメラの処理手順を示すフローチャートである。
【符号の説明】
【００８４】
１  ＣＣＤ
２  フォトダイオード（光電変換素子）
４  水平転送路
７  第１の出力回路（第１の出力増幅回路）
８  第２の出力回路（第２の出力増幅回路）
45，46  出力部転送残し算出回路
47  分岐部転送残し算出回路
48  転送残し補正回路
【図１】
2008228118.tif 000003
【図２】
2008228118.tif 000004
【図３】
2008228118.tif 000005
【図４】
2008228118.tif 000006
【図５】
2008228118.tif 000007
【図６】
2008228118.tif 000008
【図７】
2008228118.tif 000009
【図８】
2008228118.tif 000010
【図９】
2008228118.tif 000011
【図１０】
2008228118.tif 000012
【図１１】
2008228118.tif 000013
【図１２】
2008228118.tif 000014
【図１３】
2008228118.tif 000015
【図１４】
2008228118.tif 000016